(57)【特許請求の範囲】
【請求項１】
ナースステーションに設置されたナースコール親機と、
病室の各患者に対応して設置されたナースコール子機を管理する病室管理手段と、
前記ナースコール親機および前記ナースコール子機間を接続制御する制御手段とを備え、
前記制御手段は、秘話機能が選択されているときは、前記ナースコール親機から前記ナースコール子機への呼び出し時に前記ナースコール親機から前記ナースコール子機への片方向通話状態とし、前記ナースコール子機の応答操作によって双方向通話状態として、
前記秘話機能の選択は前記制御手段で行うことを特徴とする秘話機能付きナースコールシステム。
【請求項２】
ナースステーションに設置されたナースコール親機と、
病室の各患者に対応して設置されたナースコール子機を管理する病室管理手段と、
前記ナースコール親機および前記ナースコール子機間を接続制御する制御手段とを備え、
前記制御手段は、秘話機能が選択されているときは、前記ナースコール親機から前記ナースコール子機への呼び出し時に前記ナースコール親機から前記ナースコール子機への片方向通話状態とし、前記ナースコール子機の応答操作によって双方向通話状態として、
前記秘話機能の選択は前記ナースコール親機で行うことを特徴とする秘話機能付きナースコールシステム。
【請求項３】
ナースステーションに設置されたナースコール親機と、
病室の各患者に対応して設置されたナースコール子機を管理する病室管理手段と、
前記ナースコール親機および前記ナースコール子機間を接続制御する制御手段とを備え、
前記制御手段は、秘話機能が選択されているときは、前記ナースコール親機から前記ナースコール子機への呼び出し時に前記ナースコール親機から前記ナースコール子機への片方向通話状態とし、前記ナースコール子機の応答操作によって双方向通話状態として、
前記秘話機能の選択は前記病室管理手段で行うことを特徴とする秘話機能付きナースコールシステム。
【発明の詳細な説明】
【０００１】
【発明の属する技術分野】
本発明は、通話機および通信回線を介して看護スタッフと患者とのコミュニケーションを可能とするナースコールシステムに関する。
【０００２】
【従来の技術】
従来から、病院の各病室のベッドに呼出ボタンを設置し、患者がこの呼出ボタンを押すとナースステーションに設置した表示装置に患者からの呼び出しが表示されるナースコールシステムが知られている。
【０００３】
また、病室およびナースステーションの双方に通話機を設け、患者からの呼び出しに対して看護スタッフが応答すると、患者と看護スタッフとの相互通話が可能となるナースコールシステムも知られている。
【０００４】
【発明が解決しようとする課題】
ところで、従来のナースコールシステムでは、看護スタッフがナースステーションに設置した通話機（ナースコール親機）から各患者のベッドに設置した通話機（ナースコール子機）を呼び出すと、直ちに相互通話が可能な双方向通話状態となり、看護スタッフと患者とが直ちに会話できる構成となっていた。
【０００５】
しかし、このような構成では、病室側の音声が患者に意識されないうちにナースコール親機で聞こえてしまい、患者の中には心良く思わない者があった。そこで、ナースコール親機からナースコール子機を呼び出す場合、初めはナースコール親機からナースコール子機への通話のみが可能な片方向通話状態（秘話状態）とし、その状態でナースコール子機が応答ボタンを操作することで、相互通話が可能な双方向通話状態に切り替える、いわゆる秘話機能付きのナースコールシステムが提案されている。
【０００６】
ところが、患者が幼児や小児の場合、患者が応答ボタンを操作することができない場合などは、秘話機能など用いずに直ちに双方向通話状態で会話できることが望ましい。
【０００７】
本発明は、このような従来の課題を解決するためになされたもので、ナースコール親機からナースコール子機を呼び出す際に、各病棟や各病室の患者に応じて秘話機能の要否を選択することができる秘話機能付きナースコールシステムを提供することを目的とする。
【０００８】
【課題を解決するための手段】
本発明の秘話機能付きナースコールシステムにおいては、ナースステーションに設置されたナースコール親機と、病室の各患者に対応して設置されたナースコール子機を管理する病室管理手段と、ナースコール親機およびナースコール子機間を接続制御する制御手段とを備え、制御手段は、秘話機能が選択されているときは、ナースコール親機からナースコール子機への呼び出し時にナースコール親機からナースコール子機への片方向通話状態とし、ナースコール子機の応答操作によって双方向通話状態とするものである。
【０００９】
本発明によれば、ナースコール親機からナースコール子機を呼び出す際に、各病棟や各病室の患者に応じて秘話機能の要否を選択できる秘話機能付きナースコールシステムが得られる。
【００１０】
【発明の実施の形態】
本発明の請求項１に記載の発明は、ナースステーションに設置されたナースコール親機と、病室の各患者に対応して設置されたナースコール子機を管理する病室管理手段と、ナースコール親機およびナースコール子機間を接続制御する制御手段とを備え、制御手段は、秘話機能が選択されているときは、ナースコール親機からナースコール子機への呼び出し時にナースコール親機からナースコール子機への片方向通話状態とし、ナースコール子機の応答操作によって双方向通話状態とするもので、これにより秘話機能が選択されていない場合は、ナースコール親機からナースコール子機を呼び出すと、直ちに双方向通話状態となり、秘話機能が選択されている場合は、まず片方向通話状態となり、次いでナースコール子機が応答操作をすることで双方向通話状態に切り替わるという作用を有する。
【００１１】
請求項２に記載の発明は、ナースステーションに設置されたナースコール親機と、病室の各患者に対応して設置されたナースコール子機を管理する病室管理手段と、ナースコール親機およびナースコール子機間を接続制御する制御手段とを備え、制御手段は、秘話機能が選択されているときは、ナースコール親機からナースコール子機への呼び出し時にナースコール親機からナースコール子機への片方向通話状態とし、ナースコール親機の開始操作によって双方向通話状態とするもので、これにより秘話機能が選択されていない場合は、ナースコール親機からナースコール子機を呼び出すと、直ちに双方向通話状態となり、秘話機能が選択されている場合は、まず片方向通話状態となり、次いでナースコール親機が開始操作をすることで双方向通話状態に切り替わるという作用を有する。
【００１２】
請求項３に記載の発明は、請求項１または２記載の発明において、秘話機能の選択は制御手段で行うもので、これによりその制御手段が管理するナースコールシステム全体での秘話機能の要否を選択することができる。
【００１３】
請求項４に記載の発明は、請求項１または２記載の発明において、秘話機能の選択はナースコール親機で行うものであり、これによりそのナースコール親機が管理するナースコール子機とナースコール親機との間での秘話機能の要否を選択することができる。
【００１４】
請求項５に記載の発明は、請求項１または２記載の発明において、秘話機能の選択は病室管理手段で行うものであり、これによりその病室管理手段が管理するナースコール子機とナースコール親機との間での秘話機能の要否を選択することができる。
【００１５】
以下、本発明の一実施の形態について、図１〜図２を用いて説明する。
【００１６】
図１は、本発明による秘話機能付きナースコールシステムの一実施の形態を示すブロック図で、Ａ病棟を管理するナースステーション１Ａに設置したナースコール親機１１Ａと、Ｂ病棟を管理するナースステーション１Ｂに設置したナースコール親機１１Ｂとが、それぞれ制御装置２を介して、Ａ病棟の各病室３ＡおよびＢ病棟の各病室３Ｂに接続された構成を有している。
【００１７】
各親機１１Ａ，１１Ｂは通話手段である通話機１２、選局ユニット１３、秘話機能の要否を選択する秘話機能選択ボタン１４、片方向通話状態のときに双方向通話状態に切り替える通話開始ボタン１５を有する。
【００１８】
選局ユニット１３は各病室の患者名を表示する複数の名札を有し、患者からの呼び出しや通話状態が各名札に表示されるように構成されており、対応するボタンを操作することで、その患者と回線接続されるようになっている。なお、親機１１Ａ，１１Ｂとしては通話機１２のみであってもよい。
【００１９】
制御装置２は親機１１Ａ，１１Ｂと各病室３Ａ，３Ｂの病室アダプター３１に接続されているナースコール子機３２とを接続制御する機能を備えている。この例では、Ａ病棟の親機１１Ａと病室３Ａの子機３２とを接続制御し、Ｂ病棟の親機１１Ｂと病室３Ｂの子機３２とを接続制御する。また、制御装置２は秘話機能の要否を選択する秘話機能選択ボタン２１を有している。
【００２０】
各病室３Ａ，３Ｂの病室アダプター３１は患者のベッド毎に設置されたナースコール子機３２と制御装置２との接続を管理する病室管理手段としての機能を有し、また秘話機能の要否を選択する秘話機能選択ボタン３１ａを備えている。
【００２１】
子機３２は患者が看護スタッフを呼び出すための呼出ボタン３２ａ、看護スタッフと通話するためのマイクロフォンおよびスピーカからなる通話機３２ｂを備えている。
【００２２】
また、病室３Ａの病室アダプター３１はラインＬＡを介して制御装置２に接続されており、病室３Ｂの病室アダプター３１はラインＬＢを介して制御装置２に接続されている。このように、ラインＬＡ，ＬＢに複数の病室アダプター３１を並列に接続することで、病室アダプター３１の増設および変更が容易に行えるようになっている。
【００２３】
ラインＬＡ，ＬＢはディジタル化された音声信号やコマンドなどを伝送するためのディジタル信号ラインである。各病室アダプター３１はディジタル信号ラインＬＡ，ＬＢによって制御装置２に並列に接続されているため、制御装置２から送信されるコマンドやディジタル音声信号は接続されている全ての病室アダプター３１に同時に送信される。
【００２４】
このため、各病室アダプター３１には、それぞれ異なる識別番号が設定されており、制御装置２からコマンドやディジタル音声信号を送信する場合は、この識別番号と子機３２のベッド番号とを付加することで、指定した病室アダプター３１の子機３２に送信することができる。
【００２５】
病室アダプター３１は制御装置２から送信されたコマンドやディジタル音声信号が自己宛のものか否かを識別番号によって判定し、自己宛のものであればそれらを受信する。コマンドを受信した場合はその内容に応じた処理を実行し、ディジタル音声信号を受信した場合はアナログ音声信号に変換して指定された子機３２に送出する。
【００２６】
反対に子機３２から制御装置２にコマンドやディジタル音声信号を送信する場合は、自己のベッド番号および自己の属する病室アダプター３１の識別番号を病室アダプター３１で付加して送信する。これによって制御装置２は発信元の子機３２を特定することができる。
【００２７】
ところで、秘話機能選択ボタン１４，２１，３１ａで秘話機能を選択すると、親機１１Ａ，１１Ｂから子機３２を呼び出した場合、親機１１Ａ，１１Ｂから子機３２への通話のみが可能な片方向通話状態となる。
【００２８】
子機３２の患者がこの呼び出しに応じて呼出ボタン３２ａを押下すると、片方向通話状態が解除され、相互通話が可能な双方向通話状態となる。あるいは、呼び出しに応答できない患者のために、親機１１Ａ，１１Ｂに設けた通話開始ボタン１５を一定時間経過後に看護スタッフが押下すると、片方向通話状態が解除され双方向通話状態となる。
【００２９】
この場合、制御装置２の秘話機能選択ボタン２１で秘話機能を選択すると、制御装置２によって管理されている親機（この例では１１Ａ，１１Ｂ）および病室３Ａ，３Ｂの全ての子機３２が秘話機能状態に設定される。
【００３０】
これに対し、親機１１Ａの秘話機能選択ボタン１４で秘話機能を選択すると、親機１１Ａからの呼び出しに対してのみ秘話機能が設定され、他の親機１１Ｂからの呼び出しに対しては秘話機能は設定されない。親機１１Ｂからの呼び出しに対しても秘話機能を設定する場合は、親機１１Ｂの秘話機能選択ボタン１４で秘話機能を選択する必要がある。これにより親機１１Ａ，１１Ｂが例えば病棟別に設置されている場合は、病棟単位で秘話機能の要否を選択することができる。
【００３１】
また、病室アダプター３１の秘話機能選択ボタン３１ａで秘話機能を選択すると、その病室アダプター３１が管理する子機３２に対してのみ秘話機能が設定されるので、病室３Ａ，３Ｂ単位で秘話機能の要否を選択することができる。
【００３２】
次に、図２に示すシーケンス図を参照しながら、本発明の動作について説明する。まず、秘話機能が選択されていない場合は、看護スタッフが例えば親機１１Ａの通話機１２の送受話器を持ち上げ、選局ユニット１３のボタンを押して所望の子機３２を指定すると、親機１１Ａから制御装置２に指定した子機３２への呼出信号が送信される（ステップＳ１）。
【００３３】
制御装置２はこの信号を受けると、その子機３２が所属する病室３Ａの病室アダプター３１の識別番号およびその子機３２のベッド番号を付加した呼出コマンドをラインＬＡに送信する（ステップＳ２）。この呼出コマンドはラインＬＡに接続された全ての病室３Ａの病室アダプター３１に送信される。
【００３４】
指定された子機３２の属する病室３Ａの病室アダプター３１が自己宛のコマンドであると判定すると、病室アダプター３１はそのコマンドを受信し、指定された子機３２の送信系および受信系を起動する（ステップＳ３）。これによって親機１１Ａと指定された子機３２とが双方向通話状態となる（ステップＳ４）。
【００３５】
次に、秘話機能が選択されている場合は、看護スタッフが親機１１Ａの通話機１２の送受話器を持ち上げ、選局ユニット１３のボタンを押して所望の子機３２を指定すると、親機１１Ａから制御装置２に指定した子機３２への呼出信号が送信される（ステップＳ１１）。
【００３６】
これを受けた制御装置２は子機３２が所属する病室３Ａの病室アダプター３１の識別番号およびその子機３２のベッド番号を付加した呼出コマンドをラインＬＡに送信する（ステップＳ１２）。
【００３７】
指定された子機３２の属する病室３Ａの病室アダプター３１が自己宛のコマンドであると判定すると、そのコマンドを受信し、指定された子機３２の受信系のみを起動する（ステップＳ１３）。これによって親機１１Ａから子機３２への通話のみが可能な片方向通話状態となる（ステップＳ１４）。
【００３８】
子機３２が呼出ボタン３２ａを操作して応答すると（ステップＳ１５）、病室アダプター３１は応答コマンドを制御装置２に送信する（ステップＳ１６）。応答コマンドを受けた制御装置２は、子機３２の送信系を起動し（ステップＳ１７〜Ｓ１８）、親機１１Ａと子機３２とが双方向通話状態となるように接続制御する（ステップＳ１９）
あるいは、図で破線で示すように、親機１１Ａの呼出開始時点から一定時間Ｔ経過後に看護スタッフが通話開始ボタン１５を操作すると、親機１１Ａから制御装置２に通話開始信号が送信される（ステップＳ２１）。これを受けた制御装置２は病室３Ａの病室アダプター３１へ通話開始コマンドを送信する（ステップＳ２２）。病室アダプター３１はそのコマンドを受信して、子機３２の送信系を起動する（ステップＳ２３）。これによって親機１１Ａと子機３２Ａとが双方向通話状態となる（ステップＳ１８）。
【００３９】
呼出開始時点から一定時間Ｔ経過後に通話開始ボタン１５を操作するようにしたのは、片方向通話で患者に注意を喚起した後に、双方向通話に切り替えることで、病室側の音声が患者に意識されないうちに親機で聞いてしまうことを防止するためで、タイマーなどで強制的に設定するようにしてもよい。
【００４０】
【発明の効果】
以上のように本発明によれば、ナースコール親機からナースコール子機を呼び出す際に、システム全体で、親機単位で、あるいは病室単位で、それぞれ秘話機能の要否を選択することができるという有利な効果が得られる。
【図面の簡単な説明】
【図１】本発明によるナースコールシステムの一実施の形態を示すブロック図
【図２】本発明によるナースコールシステムの動作を説明するシーケンス図
【符号の説明】
１Ａ，１Ｂ  ナースステーション
２    制御装置
３Ａ，３Ｂ  病室
１１Ａ，１１Ｂ  ナースコール親機
１２  通話機
１３  選局ユニット
１４，２１，３１ａ  秘話機能選択ボタン
１５  通話開始ボタン
３１  病室アダプター
３２  ナースコール子機
３２ａ  呼出ボタン
３２ｂ  通話機
ＬＡ，ＬＢ  ディジタル信号ライン
【図１】
0004208285.tif 000002
【図２】
0004208285.tif 000003